(57)【特許請求の範囲】
【請求項１】
画像形成装置と第１の給紙装置とが接続された画像形成システムにおいて、
前記第１の給紙装置は、
スキャナーを搭載し、
引き出し可能な複数段の給紙トレイと、
前記スキャナーの動作状態を基に、前記複数段の給紙トレイの中から、最下段の給紙トレイを除き、予め指定された給紙トレイの引き出しを禁止する制御を行う制御部と、
を有することを特徴とする画像形成システム。
【請求項２】
前記第１の給紙装置に第２の給紙装置を接続した画像形成システムにおいて、
前記画像形成装置及び前記第２の給紙装置は各々、
引き出し可能な複数段の給紙トレイと、
前記スキャナーの動作状態を基に、前記複数段の給紙トレイの中の予め指定された給紙トレイの引き出しを禁止する制御を行う制御部と、
を有することを特徴とする請求項１に記載の画像形成システム。
【請求項３】
前記スキャナーの動作状態を基に、前記複数段の給紙トレイの中から最下段の給紙トレイを除き、給紙トレイの引き出しを禁止する制御を行う制御部を、
有することを特徴とする請求項２に記載の画像形成システム。
【請求項４】
前記制御部は、給紙トレイの用紙収容容量を基に、前記複数段の給紙トレイの中から給紙トレイの引き出しを禁止する制御を行うことを特徴とする請求項２に記載の画像形成システム。
【請求項５】
前記第２の給紙装置に第３の給紙装置が接続された画像形成システムにおいて、
前記第３の給紙装置は、
引き出し可能な複数段の給紙トレイと、
前記スキャナーの動作状態にかかわらず、前記第３の給紙装置に設けられた全ての給紙トレイの引き出しを許可する制御を行う制御部と、
を有することを特徴とする請求項１乃至４のいずれか１項に記載の画像形成システム。
【発明の詳細な説明】
【技術分野】
【０００１】
本発明は、画像形成装置と給紙装置とが接続された画像形成システムに関する。
【背景技術】
【０００２】
電子写真方式による画像形成装置を中心にして高速で多量のプリントを出力する画像形成システムが軽印刷の分野で多用されるようになってきた。
【０００３】
画像形成装置が最も多く設置されている場所は、一般のオフィスであるが、これらのオフィスにおいては、画像形成装置は文字を主体とするプリントを出力するために使用されている。
【０００４】
また、画像形成装置を長時間連続的に稼働させるように使用することも希である。
【０００５】
ところが、軽印刷の分野で使用される画像形成装置は、階調画像の出力が多いことから、コピー１枚当たりのトナー消費量が多く、また、生産設備として、できる限り装置の稼働率を上げるように使用される。
【０００６】
従って、このような分野で使用される画像形成装置が単位時間当たりに消費する用紙の枚数やのトナー量は、オフィスで使用される画像形成装置とは比較にならないぐらいに多量なものとなる。
【０００７】
その結果、先ず、画像形成装置に供給するトナーを充填する容器であるトナーボトルのサイズは極めて大きなものとなることから、それらを現像器の直近に配置することが困難となる。
【０００８】
このような問題に対応するために、トナーボトルを現像器の上方の離れた位置に並べて配置する画像形成装置も登場するようになった。
【０００９】
また、高速で多量の画像形成処理を行う画像形成装置には、その処理能力に対応して用紙を供給できる給紙装置が接続されることが多い。
【００１０】
その結果、従来、画像形成装置の上部に搭載されることが多かったスキャナーは、画像形成装置に接続される給紙装置の上部に搭載される場合も出てきた。
【００１１】
なお、前記のスキャナーとは、原稿を走行させて原稿画像を読み取る公知の原稿読取装置の一般的呼称である。
【００１２】
高速で多量のプリントを出力する画像形成システムにおいては、画像形成装置の給紙トレイや画像形成装置に接続される給紙装置の給紙トレイへの用紙の補給作業を頻繁に行わなければならない。
【００１３】
上述したようなスキャナーを給紙装置の上部に配置した画像形成システムにおいては、用紙の補給作業に伴う振動、特に給紙トレイの出し入れ時の振動が、作動中のスキャナに伝わり、画像の読み取りに影響を与える機会が増加するようになった。
【００１４】
このような、用紙の補給作業に伴う振動がスキャナーに与える影響を防止するために、スキャナーの動作中には給紙トレイの移動を禁止するように制御される画像形成装置の提案（例えば、特許文献１参照。）や、給紙トレイが移動した場合にはスキャナーの作動を停止させるように制御される画像形成装置の提案（例えば、特許文献２参照。）が知られている。
【００１５】
しかしながら、これらの提案による画像形成装置又は画像形成システムにおいては、スキャナの動作中は、用紙の補給作業ができないということになり、画像形成作業が、用紙の供給停止により中断される場合が増加する。
【００１６】
このような画像形成作業の中断は、画像形成システムの稼働率を下げることとなり、プリント作成業務の生産性を低下させる要因となる。
【特許文献１】特開平５−７７９３８号公報
【特許文献２】特開平５−１５５４４５号公報
【発明の開示】
【発明が解決しようとする課題】
【００１７】
本発明は、上述したような状況に鑑みてなされたもので、その目的は、画像形成装置と給紙装置とが接続された画像形成システムにおいて、スキャナーに伝達される振動を伴う前記給紙装置への給紙作業は禁止され、振動がスキャナーに伝達されない給紙作業は許可されることを特徴とする画像形成システムを実現することにある。
【課題を解決するための手段】
【００１８】
上記課題は、以下の発明を実現することにより達成される。
１．画像形成装置と第１の給紙装置とが接続された画像形成システムにおいて、
前記第１の給紙装置は、
スキャナーを搭載し、
引き出し可能な複数段の給紙トレイと、
前記スキャナーの動作状態を基に、前記複数段の給紙トレイの中から、最下段の給紙トレイを除き、予め指定された給紙トレイの引き出しを禁止する制御を行う制御部と、
を有することを特徴とする画像形成システム。
２．前記第１の給紙装置に第２の給紙装置を接続した画像形成システムにおいて、
前記画像形成装置及び前記第２の給紙装置は各々、
引き出し可能な複数段の給紙トレイと、
前記スキャナーの動作状態を基に、前記複数段の給紙トレイの中の予め指定された給紙トレイの引き出しを禁止する制御を行う制御部と、
を有することを特徴とする１項に記載の画像形成システム。
３．前記スキャナーの動作状態を基に、前記複数段の給紙トレイの中から最下段の給紙トレイを除き、給紙トレイの引き出しを禁止する制御を行う制御部を、
有することを特徴とする２項に記載の画像形成システム。
４．前記制御部は、給紙トレイの用紙収容容量を基に、前記複数段の給紙トレイの中から給紙トレイの引き出しを禁止する制御を行うことを特徴とする２項に記載の画像形成システム。
５．前記第２の給紙装置に第３の給紙装置が接続された画像形成システムにおいて、
前記第３の給紙装置は、
引き出し可能な複数段の給紙トレイと、
前記スキャナーの動作状態にかかわらず、前記第３の給紙装置に設けられた全ての給紙トレイの引き出しを許可する制御を行う制御部と、
を有することを特徴とする１乃至４項のいずれか１項に記載の画像形成システム。
【発明の効果】
【００１９】
本発明により、画像形成装置と給紙装置とが接続された画像形成システムにおいて、スキャナーに伝達される振動を伴う前記給紙装置への用紙の補給作業は禁止され、振動がスキャナーに伝達されないような用紙の補給作業は許可される。
【００２０】
その結果、用紙の補給作業に伴う振動によるスキャナーの原稿画像の読み取り品質の低下が防止される。
【００２１】
また、用紙の補給作業に伴う振動が、原稿画像の読み取り品質に影響しない給紙トレイへの用紙の補給作業は禁止されないことから、これらの給紙トレイへの用紙の補給を必要とするタイミングで行うことが可能となる。
【００２２】
従って、画像形成に使用する用紙の供給停止による画像形成システムの稼働停止が防止され、画像形成作業の生産性が向上する。
【発明を実施するための最良の形態】
【００２３】
以下、本発明の実施の形態の例を、図を基に説明する。
【００２４】
図１は、画像形成システムの概念図である。
【００２５】
例示する画像形成システムは、画像形成装置Ｇ、給紙装置Ｐ１、Ｐ２、Ｐ３、後処理装置Ｆ１、Ｆ２、スキャナーＳから構成されている。
【００２６】
画像形成装置Ｇは、公知の電子写真技術による高速のカラー画像形成装置であり、その上部には大量のトナーを収容したトナーボトルＴＢが載置されている。
【００２７】
給紙装置Ｐ１、Ｐ２、Ｐ３は、前記画像形成装置に用紙を送る連結可能な給紙装置であり、図の正面に引き出し可能な複数段の給紙トレイを備えている。
【００２８】
ユーザが行う用紙の補給作業は、前記給紙トレイを引き出し、画像形成に供する用紙を引き出した給紙トレイに載置して、給紙トレイを元の位置に戻すというものである。
【００２９】
給紙装置Ｐ１の上部には、公知の原稿読取装置であるスキャナーＳが載置されている。
【００３０】
後処理装置Ｆ１、Ｆ２は、画像形成装置Ｇから出力されたプリントに所定の後処理を施す装置で、本実施例における後処理装置Ｆ１は、画像形成装置Ｇから送られたプリントのカールを矯正するデカーラと称されるものである。
【００３１】
また、後処理装置Ｆ２は、穿孔手段、綴じ手段等を有する製本装置であり、前記後処理装置Ｆ１から送られた用紙に指定された処理を施し、上下移動する排紙トレイＥＸに順次送り出す。
【００３２】
図２は、画像形成システムの制御関係を示すブロック図である。
【００３３】
画像形成システムを構成する各装置、即ち、画像形成装置Ｇ、給紙装置Ｐ１、Ｐ２、Ｐ３、後処理装置Ｆ１、Ｆ２、スキャナーＳは、それぞれ制御部ＣＧ、制御部ＣＰ１、ＣＰ２、ＣＰ３、制御部ＣＦ１、ＣＦ２、制御部ＣＳを有している。
【００３４】
各制御部は、規模は異なるが、ＣＰＵ、メモリ、演算素子、入出力インターフェイス、通信用インターフェイス、駆動回路等を有するコンピュータシステムであり、各種制御は、メモリに格納されている所定のプログラムを実行することにより行われる。
【００３５】
なお、上述した制御部ＣＧ、制御部ＣＰ１、ＣＰ２、ＣＰ３、制御部ＣＦ１、ＣＦ２、制御部ＣＳは、通信手段ＴＲにより結ばれており、相互の情報交換ができるように構成されている。
【００３６】
図３は、画像形成装置Ｇの概念図である。
【００３７】
画像形成装置Ｇは、複数の感光体３１Ｙ、３１Ｍ、３１Ｃを一つの中間転写体４１に対面させて縦列に配列し、フルカラーの画像を形成するタンデム型カラー画像形成装置と称されるものである。
【００３８】
例示した画像形成装置Ｇは、露光部２Ｙ、２Ｍ、２Ｃ、２Ｋ、画像形成部３Ｙ、３Ｍ、３Ｃ、３Ｋ、中間転写部４、定着部５、反転排紙部６、再給紙部７、給紙部８、制御部ＣＧ等から構成されており、それらの上方には、大容量のトナーボトルＴＹ、ＴＭ、ＴＣ、ＴＫがセットされている。
【００３９】
出力する画像に関わる情報は通信ネットワークＴＴで接続されている情報処理機器ＰＣらスキャナーＳから送られ、一旦、制御部ＣＧに格納された前記情報には、ユーザにより設定されている条件により適宜な画像処理が施されて、出力画像データが生成される。
【００４０】
露光部２Ｙ、２Ｍ、２Ｃ、２Ｋは、レーザ光源、ポリゴンミラー、複数のレンズ等から構成され、レーザビームを生成する。
【００４１】
前記露光部２Ｙ、２Ｍ、２Ｃ、２Ｋは、制御手段Ｃから送られる前記出力画像データを基に出力される出力信号に対応して、画像形成部３Ｙ、３Ｍ、３Ｃ、３Ｋの構成要素である感光体３１Ｙ、３１Ｍ、３１Ｃ、３１Ｋの表面をレーザビームにより走査露光する露光部である。
【００４２】
前記レーザビームの走査露光により、感光体３１Ｙ、３１Ｍ、３１Ｃ、３１Ｋには潜像が形成される。
【００４３】
感光体３１Ｙの周辺には、主帯電部３２Ｙ、現像部３３Ｙ、第１転写ローラ３４Ｙ、クリーニング部３５Ｙが配置されている。感光体３１Ｍ、３１Ｃ、３１Ｋについても同様である。これらの構成は、電子写真方式のカラー画像形成装置に採用されている公知の技術からなる。
【００４４】
感光体３１Ｙ、３１Ｍ、３１Ｃ、３１Ｋ上の潜像は、対応する現像部３３Ｙ、３３Ｍ、３３Ｃ、３３Ｋにより現像されて、各感光体上にはトナー画像が形成される。
【００４５】
感光体３１Ｙ、３１Ｍ、３１Ｃ、３１Ｋ上に形成された前記トナー画像は中間転写手段４の第１転写ローラ３４Ｙ、３４Ｍ、３４Ｃ、３４Ｋにより、中間転写体である中間転写ベルト４１上の所定位置に逐次転写される。
【００４６】
トナー画像の転写を終えた各感光体３１Ｙ、Ｍ、Ｃ、Ｋの表面は、対応するクリーニング部３５Ｙ、Ｍ、Ｃ、Ｋによって残留トナーが除去される。
【００４７】
一方、前記中間転写ベルト４１上に転写された前記トナー画像は、複数段の給紙トレイＴＧ１、ＴＧ２、ＴＧ３を有する給紙部８から給紙され、給紙ローラ８１によって給紙のタイミングが取られて給送されてきた転写材である用紙Ｐに、第２転写ローラ４２によって転写される。
【００４８】
トナー画像の用紙Ｐへの転写を終えた中間転写ベルト４１はベルトクリーニング部４３により、表面が清掃され、次の画像転写に供される。
【００４９】
一方、トナー画像を担持した用紙Ｐは、定着部５に送られ、加圧加熱されることによって、トナー画像が用紙Ｐへ定着される。
【００５０】
定着部５による定着処理を終えた用紙Ｐは排紙反転部６により搬送され、後処理装置Ｆ１に向けて送り出される。
【００５１】
用紙Ｐを表裏反転して送り出す場合には、排紙ガイド６２にて、一旦、用紙Ｐを下方に導き、排紙反転ローラ６３に用紙Ｐの後端を挟持させた後、これを逆転をさせ、排紙ガイド６２により排紙ローラ６４に導く。
【００５２】
なお、用紙Ｐの裏面にも画像形成を行う場合には、表面の画像定着を終えた用紙Ｐを排紙ガイド６２により下方にある再給紙部７に搬送し、再給紙反転ローラ７１により後端を挟持させた後、逆送することによって用紙Ｐを反転させて、再給紙搬送路７２に送り出し、裏面への画像形成に供する。
【００５３】
図４は、給紙装置Ｐ１の概念図である。
【００５４】
給紙装置Ｐ１、Ｐ２、Ｐ３は同じ構造を持ち、互いに連結できる装置であることから、給紙装置Ｐ１を代表させて説明する。
【００５５】
給紙装置Ｐ１は、用紙Ｐが載置される３段の給紙トレイＴ１、Ｔ２、Ｔ３を備えている。これらの給紙トレイＴ１、Ｔ２、Ｔ３は、それぞれの給紙トレイの両側に設けられたスライドレールＬ１、Ｌ２、Ｌ３によって、図の手前方向に引き出すことができる。
【００５６】
なお、このような複数段の給紙トレイを備える給紙装置は、公知のものであり、給紙トレイの段数及び各給紙トレイの用紙収容量は、設計時に決定されるものである。
【００５７】
給紙装置Ｐ１には、ガイド部材、搬送ベルト、ローラ等を有する５つの搬送路Ｒ１、Ｒ２、Ｒ３、Ｒ４、Ｒ５がある。
【００５８】
搬送路Ｒ１は、給紙トレイＴ１から送り出された用紙Ｐを搬送路Ｒ５まで搬送する搬送路であり、同様に、搬送路Ｒ２は、給紙トレイＴ２から送り出された用紙Ｐを、搬送路Ｒ３は、給紙トレイＴ３から送り出された用紙Ｐを搬送路Ｒ５まで搬送する搬送路である。
【００５９】
搬送路Ｒ４は、図中矢印ａの方向から送られてきた用紙Ｐを、搬送路Ｒ５まで送る搬送路である。
【００６０】
搬送路Ｒ５は、各搬送路Ｒ１、Ｒ２、Ｒ３、Ｒ４から送られてきた用紙Ｐを矢印ｂの方向に送り出す搬送路であり、本実施例の場合は、用紙Ｐを画像形成装置Ｇに送り出す搬送路である。
【００６１】
なお、図に示すように、本実施例の各給紙装置が備える３段の給紙トレイのうち、最下段に位置する給紙トレイＴ３は、上段に位置する給紙トレイＴ１、Ｔ２と比較して用紙Ｐの収容量が大きい。
【００６２】
また、給紙トレイＴ３から送り出された用紙Ｐは、他の給紙トレイＴ１、Ｔ２から送り出された用紙Ｐよりも直線的に搬送される。
【００６３】
これらの特徴は、最下段の給紙トレイＴ３を有効に使用することが、システムの稼働率向上と信頼性確保の為に有効であることを意味している。
【００６４】
図５は、トレイ引き出し禁止手段５０を説明する図である。
【００６５】
上述したように、給紙トレイＴ１、Ｔ２、Ｔ３は、トレイの両側に設けられたスライドレールＬ１、Ｌ２、Ｌ３に導かれて移動する。
【００６６】
トレイ引き出し禁止手段５０とは、各給紙トレイの引き出しを禁止、又は引き出しを可能にする手段であり、各給紙トレイに対応して設けられる。
【００６７】
各給紙トレイに設けられるトレイ引き出し禁止手段５０は、同じ構成であることから、給紙トレイＴ１の場合を例に挙げて説明する。
【００６８】
給紙トレイＴ１は、図５の矢印ｃの方向に引き出されて、用紙Ｐが載置される。用紙Ｐが載置された給紙トレイＴ１は、矢印ｄの方向に押し込まれ、ストッパー５１にて規制される位置にて停止する。
【００６９】
トレイ引き出し禁止手段５０は、レバー５２、バネ５３、ソレノイド５４等から構成される。
【００７０】
レバー５２は、支点５６を中心に回転可能であり、規制部材５７により規制される位置まで、バネ５３によって付勢されている。
【００７１】
前記レバー５２は、給紙トレイＴ１の底部に固定されている板５５と噛み合うことにより、給紙トレイＴ１の矢印ｃの方向の移動を禁止する。
【００７２】
移動が禁止されている給紙トレイＴ１は、ソレノイド５４が駆動されると、レバー５２が矢印ｆの方向に回転し、レバー５２と板５５との噛み合いが解除されることにより移動が可能となる。
【００７３】
以上説明したように、給紙トレイの引き出し禁止は、ソレノイド５４の駆動を禁止することにより行われる。
【００７４】
図６は、スキャナーＳの概念図である。
【００７５】
スキャナーＳは、自動原稿送装置ＡＤＦと原稿読取部１から構成される。
【００７６】
自動原稿送り装置ＡＤＦの原稿載置台１０１に載置された原稿Ｄは、一枚ずつに分離され原稿搬送路に送り出され、搬送ドラム１０２により搬送される。
【００７７】
搬送中の原稿Ｄの画像は原稿画像読み取り位置ＲＰにて原稿読取部１により、読み取りがなされる。読み取りが終了した原稿Ｄは第１搬送ガイドＧ１、および原稿排出ローラ１０５により原稿排紙台１０７に排出される。
【００７８】
原稿Ｄの裏面を読み取る場合には、表面の読み取りが終了した原稿Ｄを反転ローラ１０６に導き、反転ローラ１０６を反転させて、前記原稿Ｄの後端が先端となるようにして、再度搬送ドラムに送り出す。
【００７９】
表裏反転されて送り出された原稿Ｄの裏面は、表面と同様に原稿画像読み取り位置ＲＰにて原稿読取部１により、読み取りがなされ、原稿排紙台１０７に排出される。
【００８０】
原稿読取部１は、原稿読取り位置ＲＰにて原稿の画像をランプＬにて照射し、その反射光を第１ミラーユニット１１、第２ミラーユニット１２、レンズ１３によって導き、撮像素子ＣＣＤの受光面に結像させる。
【００８１】
撮像素子ＣＣＤにより光電変換された画像信号は、制御部ＣＳにてＡ／Ｄ変換、シェーディング補正、圧縮等の処理がなされ、制御部ＣＳのメモリに画像データとして格納される。
【００８２】
前記メモリに一端格納された前記画像データは、通信手段ＴＲを介して画像形成装置Ｇの制御部ＣＧに送られる。
【００８３】
図７は、本発明の画像形成システムにおける給紙トレイの引き出し禁止制御のフローチャートである。
【００８４】
本実施の形態の説明は、スキャナーＳは、第１の給紙装置Ｐ１の上に搭載されており、また、制御は各装置の制御手段が個別に行う場合を前提にしているが、これらの前提条件は、システム設計時に適宜に変更できるものである。
【００８５】
画像形成装置Ｇ、各給紙装置Ｐ１、Ｐ２、Ｐ３の制御部は、スキャナーＳの動作を認識すると（ステップＳ１：Ｙ）、自分自身の接続位置情報をメモリから読み出す（ステップＳ３）。
【００８６】
なお、接続位置情報とは、該装置が接続されている位置を示すもので、システム構成時に自動的に認識され、記憶される情報である。
【００８７】
例えば、画像形成装置Ｇの制御手段ＣＧには、後処理装置Ｆ１と給紙装置Ｐ１との間に接続されていることを示す情報が記憶されており、給紙装置Ｐ２の制御部ＣＰ２には、給紙装置Ｐ１と給紙装置Ｐ３との間に接続されていることを示す情報が記憶されている。
【００８８】
接続位置情報から、自分が第１の給送装置Ｐ１であると認識された場合には（ステップＳ３：Ｙ）、制御部ＣＰ１自身のメモリ内の所定のテーブルに予め設定されている、引き出し禁止情報から、引き出しを禁止する給紙トレイを指定して（ステップＳ７）、指定した給紙トレイの引き出しができないように引き出し禁止手段５０を制御する（ステップＳ８）。
【００８９】
なお、引き出しが禁止される給紙トレイは、該給紙トレイへの用紙Ｐを補給する作業による振動がスキャナーＳの読み取りに影響する恐れがあるものが指定されている。
【００９０】
スキャナーＳの読み取りへの影響は、給紙トレイの位置、給紙トレイの用紙収容容量によって変わることから、これらを勘案して設計時に決定され、制御部ＣＰ１に設定される。
【００９１】
その他、給紙トレイに載置されている、または補給作業により載置された用紙Ｐの量を検知して、検知された用紙Ｐの量によって給紙トレイの引き出しを禁止する、またはスキャナーＳの動作が停止するまで給紙トレイの戻しを禁止するようにしても良い。
【００９２】
接続位置情報から、自分が第２の給送装置Ｐ２であると認識された場合には（ステップＳ４：Ｙ）、制御部ＣＰ２自身のメモリ内の所定のテーブルに予め設定されている、引き出し禁止情報から、引き出しを禁止する給紙トレイを指定して（ステップＳ７）、指定した給紙トレイの引き出しができないように引き出し禁止手段５０を制御する（ステップＳ８）。
【００９３】
接続位置情報から、自分が第３の給送装置Ｐ３であると認識された場合には（ステップＳ５：Ｙ）、制御部ＣＰ３は、引き出し禁止処理をすることなくルーチンを出る（ステップＳ５：Ｙ）。
【００９４】
即ち、第３の給紙装置Ｐ３は、スキャナーＳを搭載している第１の給紙装置Ｐ１との間に第２の給紙装置Ｐ２が存在することから、第３の給紙装置Ｐ３における給紙作業による振動はスキャナーＳの動作に影響しないので、常に、給紙トレイを引き出して行う給紙作業が許可されるということを意味している。
【００９５】
接続位置情報から、自分が画像形成装置であると認識された場合には（ステップＳ６：Ｙ）、制御部ＣＧ自身のメモリ内の所定のテーブルに予め設定されている、引き出し禁止情報から、引き出しを禁止する給紙トレイを指定して（ステップＳ７）、指定した給紙トレイの引き出しができないように引き出し禁止手段５０を制御して（ステップＳ８）、ルーチンを出る。
【００９６】
上述した給紙トレイの引き出し禁止制御は、予め、スキャナーＳの動作中に引き出しを禁止する給紙トレイを設定できる場合の説明である。
【００９７】
実際の画像形成システムにおいては、画像形成装置Ｇ、又は給紙装置Ｐ１、Ｐ２、Ｐ３の最下段に位置する給紙トレイＴＧ３、Ｔ３の出し入れによる振動が、動作中のスキャナーＳの読み取りに影響を与える恐れはない場合も多い。
【００９８】
従って、このような場合には、最下段の給紙トレイの出し入れを常に許可して、スキャナーＳの動作中は、他の給紙トレイの引き出しを禁止するように制御しても良い。
【００９９】
以上説明したように、本発明による画像形成システムは、スキャナーＳに伝達される振動を伴う給紙装置への用紙の補給作業を禁止して、振動がスキャナーに伝達されないような用紙の補給作業を許可する。
【０１００】
その結果、用紙の補給作業に伴う振動によるスキャナーの原稿画像の読み取り品質の低下が防止される。
【０１０１】
また、用紙の補給作業に伴う振動が、原稿画像の読み取り品質に影響しない給紙トレイへの用紙の補給作業は禁止されないことから、これらの給紙トレイへの用紙の補給を必要とするタイミングで行うことができる。
【０１０２】
従って、用紙の供給停止による画像形成システムの稼働停止を無くすことができるので、画像形成作業の生産性が向上する。
【図面の簡単な説明】
【０１０３】
【図１】画像形成システムの概念図である。
【図２】画像形成システムの制御関係を示すブロック図である。
【図３】画像形成装置の概念図である。
【図４】給紙装置の概念図である。
【図５】給紙トレイ引き出し禁止手段を説明する図である。
【図６】スキャナーの概念図である。
【図７】給紙トレイの引き出し禁止制御のフローチャートである。
【符号の説明】
【０１０４】
ＣＧ  制御部（画像形成装置）
ＣＰ１、ＣＰ２、ＣＰ３  制御部（給紙装置）
ＣＳ  制御部（スキャナー）
Ｇ  画像形成装置
Ｓ  スキャナー
Ｐ  用紙
Ｐ１、Ｐ２、Ｐ３  給紙装置
Ｔ１、Ｔ２、Ｔ３  給紙トレイ
【図１】
0005130889.tif 000002
【図２】
0005130889.tif 000003
【図３】
0005130889.tif 000004
【図４】
0005130889.tif 000005
【図５】
0005130889.tif 000006
【図６】
0005130889.tif 000007
【図７】
0005130889.tif 000008